(57)【特許請求の範囲】
【請求項１】
座体と、この座体を支持する座受けと、弾性手段に抗して後傾動するように前記座受けに取付けられた揺動フレームと、この揺動フレームに取り付けた正面視上向き凹状のシェル構造の背受け部材とを備えており、
前記背受け部材に、前記揺動フレームに嵌合することによって背受け部材を左右方向にずれ不能に保持する規制部と、前記揺動フレームに上下方向から重なる第１締結部と第２締結部とが形成されており、前記第１締結部と第２締結部とは、互いに高さが異なっていると共にそれぞれ板状に形成されており、これら第１締結部と第２締結部を揺動フレームにねじで固定している、
椅子。
【請求項２】
前記揺動フレームの上面には左右方向に広がる翼状の受け板が一体に設けられている一方、
前記背受け部材は合成樹脂製であって前記揺動フレームの全体に下方から被嵌するように正面視で上向き凹状に形成されており、この背受け部材は、当該背受け部材に前方から重なり得る第１金型と後方から重なり得る第２金型と備えた射出成形装置又は反応成形装置によって製造されており、
前記背受け部材の内面に、揺動フレームに後方から嵌合する規制部と、前記揺動フレームにおける受け板のうち左右端部に重なる第１締結部と、前記揺動フレームにおける受け板のうち中央寄り部位に重なる第２締結部とが、それぞれ前後方向に延びるように形成されている、
請求項１に記載した椅子。
【発明の詳細な説明】
【０００１】
【発明の属する技術分野】
本発明は、ロッキング機能を備えた椅子に関するものである。
【０００２】
【従来の技術】
人のもたれ掛かりによって背もたれが後傾するロッキング椅子は、脚の上端に設けた座受け部材に、揺動フレームを後傾動自在に取付け、この揺動フレームの後傾動をばねで支持すると共に、揺動フレームに背もたれをねじ止めした構造になっていることが多い。
【０００３】
【発明が解決しようとする課題】
ところで、座体や背もたれを合成樹脂によってシェル構造にすることが広く行われており、背もたれを、人の腰を包むようなシェル状の背受け部材に取付けるか、或いは、背もたれの下端に背受け部材を一体成形すると、座り心地を向上できると共に、デザイン的に優れたものとすることができる。
【０００４】
本発明は、このようにシェル構造の背受け部材を設けた場合において、揺動フレームへの取付けを簡単に行えるようにすることを目的とするものである。
【０００５】
【課題を解決するための手段】
請求項１の発明に係る椅子は、座体と、この座体を支持する座受けと、弾性手段に抗して後傾動するように前記座受けに取付けられた揺動フレームと、この揺動フレームに取り付けた正面視上向き凹状のシェル構造の背受け部材とを備えており、前記背受け部材に、前記揺動フレームに嵌合することによって背受け部材を左右方向にずれ不能に保持する規制部と、前記揺動フレームに上下方向から重なる第１締結部と第２締結部とが形成されており、前記第１締結部と第２締結部とは、互いに高さが異なっていると共にそれぞれ板状に形成されており、これら第１締結部と第２締結部を揺動フレームにねじで固定している。
【０００６】
請求項２に係る椅子は請求項１をより具体化したもので、この椅子では、前記揺動フレームの上面には左右方向に広がる翼状の受け板が一体に設けられている一方、前記背受け部材は合成樹脂製であって前記揺動フレームの全体に下方から被嵌するように正面視で上向き凹状に形成されている。
【０００７】
そして、この背受け部材は、当該背受け部材に前方から重なり得る第１金型と後方から重なり得る第２金型と備えた射出成形装置又は反応成形装置によって製造されており、前記背受け部材の内面に、揺動フレームに後方から嵌合する規制部と、前記揺動フレームにおける受け板のうち左右端部に重なる第１締結部と、前記揺動フレームにおける受け板のうち中央寄り部位に重なる第２締結部とが、それぞれ前後方向に延びるように形成されている。
【０００８】
【発明の作用・効果】
本発明によると、背受け部材は規制部によって位置決めされるため、揺動フレームに対して簡単かつ正確に固定することができる。従って、取付け作業を能率良く行うことができる。
【０００９】
請求項２のように構成すると、背受け部材は、揺動フレームに設けた左右長手の受け板に締結されるので、ねじの取付け間隔を大きくすることができ、このため締結強度を向上することができる。
【００１０】
また、背受け部材を射出成形装置又は反応成形装置によって製造するに際して、規制部と締結部とは金型の移動方向（型抜き方向）に延びるため、密着・離反する一対の金型を備えているだけで、型抜きの容易性を損なうことなく規制部と締結部とを形成することができ、成形装置の構造が簡単になってコストを抑制できる。
【００１１】
【発明の実施形態】
次に、本発明の実施形態を図面に基づいて説明する。図１は右側面図、図２（Ａ）は正面図、図３は平面図、図４は縦断右側面図、図５及び図６は分離斜視図、図７は要部の分離平面図、図８は取付けた状態での平面図、図８は図７のVIII−VIII視断面図、図９は図７のIX−IX視断面図である。
【００１２】
(1).基本構造
椅子は、ガスシリンダー等の脚支柱１を備えた脚２と、脚支柱２の上端に固定した上向き開口の座受け（ベース）３と、座受け３に上方から被さる中間支持体４と、中間支持体４の後方に配置した揺動フレーム５と、中間支持体４と揺動フレーム５とで支持した座体６と、揺動フレーム５に取り付けた背部７とを備えている。脚支柱１は脚カバー８で覆われており、座受け３はベースカバー９で下方から覆われている。
【００１３】
座受け３の底面には第１受け板１０が固着されており、この第１受け板１０と座受け３とに固定したブッシュ１１に脚支柱１の上端を嵌着している。また、座受け３における左右両側板３ａの前部には前後長手の長穴１２が空いており、この長穴１２と中間支持体４の側板４ａとに第１軸１３が挿入されている。
【００１４】
座受け３の下面には正面視下向き開口コ字状の第２受け板１４を溶接等によって固着している一方、揺動フレーム５は、第２受け板１４の外側に位置する側板５ａを備えており、揺動フレーム５の前端部を、第２軸１５によって第２受け板１４に後傾動自在に取付けている。また、揺動フレーム５と中間支持体４とは第３軸１６によって連結されている。
【００１５】
図４に示すように、座受け３の後部には、揺動フレーム５を貫通した下向きのロッド１７が抜け不能に取付けられており、このロッド１７の先端部に設けたばね受け１８で、弾性手段の一例としてのコイルばね（図示せず）を支持しており、コイルばねで揺動フレーム５を受けている。コイルばねはホルダー１９に嵌まっている。
【００１６】
(2).背受け部材の取付け構造
揺動フレーム５の後部には、左右方向に広がる受け板２０を固着しており、この受け板２０で座体６の後部が支持されている。受け板２０は、その左右両端部２０ａの高さが高い翼状になっており、上向きに開口した凹所に座体６の後部が嵌まっている。
【００１７】
受け板２０の傾斜部の外面には、肘掛け装置の支柱（図示せず）がねじで固定されるようになっている。
【００１８】
座体６は中間支持体４にも取付けられており、図では詳細は示していないが、座体６は、中間支持体４の後端部と揺動フレーム５の前端部との間の箇所において側面視で屈曲するように構成されている。そして、揺動フレーム５及び背部７がコイルばねに抗して後傾すると、座体６は、その後部寄りの箇所で屈曲しながら、後退しつつ後傾動する。
【００１９】
図１や図２に示すように、背部７は、揺動フレーム５に取付けられた背受け部材（腰アウター部材）２１と、この背受け部材２１に取付けた背もたれ２２とから成っている。背受け部材２１は、ポリプロピレンのようにリサイクルが容易でしかも安価な樹脂を素材として射出成形法によって製造されている。
【００２０】
例えば図３や図６に示すように、背受け部材２１は、左右の側枠部（側板部）２１ａを一体に連設することにより、平面視で前向き凹状のシェル状に形成されており、側枠部２１ａに人の手の甲が入る程度の穴２３が空いている。側枠部２１ａの前面は側面視で後傾するように形成されている。
【００２１】
背受け部材２１の下端には、揺動フレーム５を囲う嵌合部２１ｂが一体に連設されている。嵌合部２１ｂには、脚カバー８が嵌まる前向き開口の凹所２４と、コイルばねのホルダー１９が嵌まる逃がし穴２５とが形成されている。
【００２２】
背受け部材２１には、揺動フレーム５における受け板２０の両端部２０ａに上方から重なる左右一対の板状の第１締結部２６と、受け板２０の底部のうち中央部からやや外れた部位に重なる左右一対の板状の第２締結部２７と、揺動フレーム５における左右側板５ａの間に後方から左右ずれ不能に嵌まる内規制部２８と、左右側板５ａの外側面に密接する外規制部２９とが一体に形成されている。
【００２３】
内規制部２８は縦横のリブを備えた頑丈な構造になっており、図１０に示すように、内規制部２８は揺動フレーム５の後端に上方から当たっている。このため、人が背もたれ２２にもたれ掛かったときの荷重を、内規制部２８を介して揺動フレーム５で支持することができ、その結果、取付け強度をいっそう向上することができる。なお、規制部２８は左右に分離した状態で形成しても良い。
【００２４】
背受け部材２１の両締結部２６，２７はねじ３０で揺動フレーム５の受け板２０に固定されている。なお、内規制部２８と外規制部２９とはいずれか一方のみでも足りる。
【００２５】
(3).背もたれの取付け構造
例えば図６に示すように、背受け部材２１の前面には、側面視上向き鉤状で左右一対の第１係止爪３１と、平面視鉤状で左右一対の第２係止爪３２、及び縦横に延びるリブ３３とが上下に隔てた状態で形成されている。
【００２６】
他方、図４に示すように、背部７の背もたれ２２は、アウターシェル（カバー）３４とそのうち内側に位置したインナーシェル（芯板）３５とこれに張ったクッション３６とから成っており、インナーシェル３５に、前記背受け部材２１の第１係止爪３０に上方から嵌合する側面視下向き鉤状の第１係合爪３７と、背受け部材２１の第２係止爪３２に弾性に抗しての変形によって係合する平面視鉤状の第２係合爪３８とが形成されている。
【００２７】
したがって、第１係合爪３７を第１係止爪３１に嵌め合わせてから、第２係合爪３８を第１係合爪３２に弾性変形させて強制係合させることにより、背もたれ２２を背受け部材２１に対して離脱不能に取付けることができる。なお、図１に示すように、背受け部材２１の背面には、背もたれ２２におけるアウターシェル３４の左右側面に連続する溝状等のライン３９を形成している。もちろん、ライン３９はなくても良い。
【００２８】
図４や図１０に示すように、背もたれ２２のインナーシェル３５はアウターシェル３４の下方まで延びている。アウターシェル３４の下端には、背受け部材２１の上端に嵌合する段部３４ａを形成している。
【００２９】
以上の構成において、背受け部材２１を揺動フレーム５に取付けるに当たっては、揺動フレーム５の側板５ａを両規制部２８，２９の間の隙間に差し込んでから、ねじ３０で両締結部２６，２７を受け板２０に固定すれば良い。
【００３０】
このため、背受け部材２１を正確な姿勢に簡単に固定することができ。また、背受け部材２１は翼状に広がる受け板２０の端部２０ａに固定されているため、締結強度が高い。
【００３１】
背受け部材２１の製造は、当該背受け部材２１の前方から重なる形状の金型と、背受け部材２１の後方から重なる金型との２つの金型とを使用した射出成形法によって行われる。そして、各締結部２６，２７と規制部２８，２９は前後方向に延びているため、他のスライド型を使用することなく、それら締結部２６，２７と規制部２８，２９とを成形することができる。
【００３２】
(4).座体と背受け部材との関係
図２（Ｂ）に大雑把に示すように、座体６は、合成樹脂製のインナーシェル（芯板）６ａにクッション６ｂを張った構造であり、その左右側部は座アウターシェル（カバー）６′によって囲われている。
【００３３】
そして、図１に示すように、座アウターシェル６′は外側に露出しており、その後端は背受け部材２１における側枠部２１ａの前端面に重なっている。そして、図２のIIC-IIC 視断面図である図２ (C)に示すように、座アウターシェル６′の後端に背受け部材２１における側枠部２１ａの前端が嵌合する段部６ａ′を形成することより、両者が同一面を成す状態を保持している。
【００３４】
このため体裁が良い。また、背受け部材２１が後傾したときに内部が見えることも防止でき、この点でも美感を向上できる。なお、段部は背受け部材６に形成しても良い。
【００３５】
(5).その他
上記の実施形態では背受け部材を背もたれと別体に構成しているが、背受け部材を背もたれと一体成形し、その前面にクッション材を直接に又はインナーシェルを介して取付けても良い。
【図面の簡単な説明】
【図１】第１実施形態の右側面図である。
【図２】 (A)は椅子の正面図、 (B)は座体の部分断面図、 (C)は図１のIIC-IIC 視部分断面図である。
【図３】平面図である。
【図４】縦断右側面図である。
【図５】座受けと中間部材と揺動フレームの分離斜視図である。
【図６】揺動フレームと背受け部材との分離斜視図である。
【図７】揺動フレームと背受け部材との分離平面図である。
【図８】背受け部材を揺動フレームに固定した状態の平面図である。
【図９】図７のVIII−VIII視断面図である。
【図10】図７のIX−IX視断面図である。
【符号の説明】
３  座受け
５  揺動フレーム
６  座体
７  背部
２０  受け板
２１  背受け部材
２１ａ  側枠部
２２    背もたれ
２６  第１締結部
２７  第２締結部
２８，２９  規制部
３０  ねじ
【図１】
0003811597.tif 000002
【図２】
0003811597.tif 000003
【図３】
0003811597.tif 000004
【図４】
0003811597.tif 000005
【図５】
0003811597.tif 000006
【図６】
0003811597.tif 000007
【図７】
0003811597.tif 000008
【図８】
0003811597.tif 000009
【図９】
0003811597.tif 000010
【図１０】
0003811597.tif 000011